(57)【特許請求の範囲】
【請求項１】
表面シートと不透液性裏面シートとの間に吸収体が介在された吸収性物品本体の上層に、表面シートと裏面シートとの間に吸収体が介在された吸収性物品別体が接合された吸収性物品であって、
前記吸収性物品別体は、前記吸収性物品本体の排血口対応領域に接合される前方部と、この前方部より後側に延在するとともに、前記吸収性物品の幅方向中央の後側端から長手方向に沿って形成された分割線によって左右各部に分割可能とされ、分割された左右各部が前記前方部との境界部を基端として、前記吸収性物品本体の幅方向外側に拡開可能とされる後方部とから構成されていることを特徴とする吸収性物品。
【請求項２】
前記後方部は、前記左右各部を対向配置した状態において、平面視で前後方向に長い略楕円形に形成されている請求項１記載の吸収性物品。
【請求項３】
前記後方部は、前記左右各部を対向配置した状態において、平面視で後側寄り部分の幅方向寸法がほぼ同幅に形成されている請求項１、２いずれかに記載の吸収性物品。
【請求項４】
前記後方部の左右各部には、それぞれ外側に突出した摘み代が設けられている請求項１〜３いずれかに記載の吸収性物品。
【請求項５】
前記前方部と後方部との境界部には、両側から前記吸収性物品の幅方向内側に向かって切込み線が設けられている請求項１〜４いずれかに記載の吸収性物品。
【請求項６】
前記吸収性物品別体の裏面シートは、前記前方部の全面に透液性素材が配設され、前記後方部の全面又は一部に不透液性素材が配設されることによって構成されている請求項１〜５いずれかに記載の吸収性物品。
【請求項７】
前記吸収性物品別体の裏面シートは、前記前方部及び後方部の全面に透液性素材が配設されるとともに、その下層であって、前記後方部の少なくとも一部に不透液性素材が配設されることによって構成されている請求項１〜５いずれかに記載の吸収性物品。
【請求項８】
前記後方部の不透液性素材は、前記左右各部を前記吸収性物品の幅方向外側に拡げた状態で、少なくとも前記吸収性物品本体より外側の延在予定部分に配設されている請求項６、７いずれかに記載の吸収性物品。
【請求項９】
前記後方部の裏面シート側の面に、前記吸収性物品本体及びショーツに対して粘着させる複数条の粘着剤層が備えられている請求項１〜８いずれかに記載の吸収性物品。
【請求項１０】
前記粘着剤層を覆う剥離材が前記吸収性物品を個装する個装材に一体的に接合されている請求項９記載の吸収性物品。
【発明の詳細な説明】
【技術分野】
【０００１】
本発明は、経血やおりものなどを吸収するための生理用ナプキン、パンティライナー、失禁パッド等の吸収性物品、詳しくはヒップホールド用フラップの大きさを任意に調整可能とした吸収性物品に関する。
【背景技術】
【０００２】
従来より、生理用ナプキン、パンティライナー、おりものシート、失禁パッドなどの吸収性物品としては、ポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
この種の吸収性物品においては、下記特許文献１、２などに開示されるように、臀部からの漏れを防止するため、表面材と裏面材との間に吸収層が介在されたヒップホールド用フラップが形成されている。
【特許文献１】特開２０００−１８９４５９号公報
【特許文献２】特開２００６−３４４９５号公報
【発明の開示】
【発明が解決しようとする課題】
【０００４】
しかしながら、上記特許文献１、２記載の吸収性物品においては、いずれもヒップホールド用フラップの大きさが限定されており、使用者が任意に調整することは不可能であった。このため、ヒップホールド用フラップ部が使用者の体型やショーツのサイズに合わないことにより、ヒップホールド用フラップのヨレや違和感、さらには体液の漏れなどが問題となっていた。
【０００５】
そこで本発明の主たる課題は、ヒップホールド用フラップの大きさを任意に調整可能とすることにより、身体へのフィット性を向上させ、体液の漏れを防止した吸収性物品を提供することにある。
【課題を解決するための手段】
【０００６】
前記課題を解決するために請求項１に係る本発明として、表面シートと不透液性裏面シートとの間に吸収体が介在された吸収性物品本体の上層に、表面シートと裏面シートとの間に吸収体が介在された吸収性物品別体が接合された吸収性物品であって、
前記吸収性物品別体は、前記吸収性物品本体の排血口対応領域に接合される前方部と、この前方部より後側に延在するとともに、前記吸収性物品の幅方向中央の後側端から長手方向に沿って形成された分割線によって左右各部に分割可能とされ、分割された左右各部が前記前方部との境界部を基端として、前記吸収性物品本体の幅方向外側に拡開可能とされる後方部とから構成されていることを特徴とする吸収性物品が提供される。
【０００７】
上記請求項１記載の発明は、吸収性物品本体の上層に、前方部と後方部とからなる吸収性物品別体を、前記前方部において接合して構成された吸収性物品である。そして、前記後方部は、前記前方部より後側に延在して構成されるとともに、前記吸収性物品の幅方向中央の後側端から長手方向に沿って形成された分割線によって左右各部に分割可能とされ、分割された左右各部が前記前方部との境界部を基端として、前記吸収性物品本体の幅方向外側に拡開可能となるようにした。すなわち、使用者が吸収性物品の装着時に前記後方部の左右各部をそれぞれ前方部との境界部を基端として吸収性物品の幅方向外側に拡げることにより、ヒップホールド用フラップが形成されるとともに、その拡げる程度を適宜調整することによりヒップホールド用フラップの大きさを任意に調整できるようになっている。このため、ヒップホールド用フラップの大きさを使用者の体型やショーツのサイズに任意に合わせることができ、身体へのフィット性が向上するとともに、体液の漏れが防止できるようになる。
【０００８】
さらに、前記後方部の左右各部を吸収性物品の幅方向外側に拡げると、その基端とした前記前方部と後方部との境界部には、前記分割線の基端部から前方部と後方部との境界部の両側縁にかけて、シワ状の突状線が形成される。このように突状線が形成されることにより、前方部の経血等が後方部に拡散するのを堰き止めることができ、後漏れがより効果的に防止されるようになる。
【０００９】
請求項２に係る本発明として、前記後方部は、前記左右各部を対向配置した状態において、平面視で前後方向に長い略楕円形に形成されている請求項１記載の吸収性物品が提供される。
【００１０】
上記請求項２記載の発明は、後方部の左右各部をそれぞれ吸収性物品の幅方向外側に拡げてヒップホールド用フラップを形成した際、臀部のラインに沿うように、前記後方部を、前記左右各部を対向配置した状態において、平面視で前後方向に長い略楕円形に形成したものである。
【００１１】
請求項３に係る本発明として、前記後方部は、前記左右各部を対向配置した状態において、平面視で後側寄り部分の幅方向寸法がほぼ同幅に形成されている請求項１、２いずれかに記載の吸収性物品が提供される。
【００１２】
上記請求項３記載の発明は、装着時に形成されるヒップホールド用フラップの面積を大きくして、該ヒップホールド用フラップでの吸収面積を拡大し、経血等の漏れを防止するため、前記左右各部を対向配置した状態において、前記後方部が平面視で後側寄り部分の幅方向寸法がほぼ同幅となるように形成したものである。
【００１３】
請求項４に係る本発明として、前記後方部の左右各部には、それぞれ外側に突出した摘み代が設けられている請求項１〜３いずれかに記載の吸収性物品が提供される。
【００１４】
上記請求項４記載の発明は、前記後方部の左右各部に、それぞれ外側に突出した摘み代を設けることによって、装着時に使用者が前記左右各部を拡げる作業を容易化したものである。
【００１５】
請求項５に係る本発明として、前記前方部と後方部との境界部には、両側から前記吸収性物品の幅方向内側に向かって切込み線が設けられている請求項１〜４いずれかに記載の吸収性物品が提供される。
【００１６】
上記請求項５記載の発明では、前記前方部と後方部との境界部に、両側から前記吸収性物品の幅方向内側に向かって切込み線を設けることにより、前記後方部の左右各部を拡げたときに前述の突状線が形成されずに重なるようになるため、経血等の堰き止め効果を維持しつつ、使用者に与える違和感を低減できるようになる。
【００１７】
請求項６に係る本発明として、前記吸収性物品別体の裏面シートは、前記前方部の全面に透液性素材が配設され、前記後方部の全面又は一部に不透液性素材が配設されることによって構成されている請求項１〜５いずれかに記載の吸収性物品が提供される。
【００１８】
請求項７に係る本発明として、前記吸収性物品別体の裏面シートは、前記前方部及び後方部の全面に透液性素材が配設されるとともに、その下層であって、前記後方部の少なくとも一部に不透液性素材が配設されることによって構成されている請求項１〜５いずれかに記載の吸収性物品が提供される。
【００１９】
上記請求項６、７記載の発明は、ヒップホールド用フラップとして吸収性物品本体からはみ出た部分から吸収された経血等がショーツへしみ出るのを防止するため、吸収性物品別体の裏面シートとして後方部の全面又は一部に不透液性素材を配設するようにし、少なくともそれ以外の部分には透液性素材を配設するようにしたものである。上記請求項６記載の発明では、これら透液性素材と不透液性素材とが重ならないように接合されて実質的に一体の裏面シートを形成し、上記請求項７記載の発明では、全面に透液性素材を配設するとともに、その下層の前記後方部の少なくとも一部に不透液性素材が接合されて実質的に一体の裏面シートを形成したものである。
【００２０】
請求項８に係る本発明として、前記後方部の不透液性素材は、前記左右各部を前記吸収性物品の幅方向外側に拡げた状態で、少なくとも前記吸収性物品本体より外側の延在予定部分に配設されている請求項６、７いずれかに記載の吸収性物品が提供される。
【００２１】
上記請求項８記載の発明は、前記後方部の一部に不透液性素材を配設する場合の具体的な配設形態について規定したものであり、前記左右各部を前記吸収性物品の幅方向外側に拡げた状態で、少なくとも前記吸収性物品本体より外側の延在予定部分に配設するようにした。これにより、左右各部を前記吸収性物品の幅方向外側に拡げた状態でも、吸収性物品別体に吸収された経血等がショーツへしみ出るのを防止できるとともに、それ以外の部位では吸収性物品本体への体液吸収が阻害されないため、吸収性物品本体の吸収体を広い範囲で有効利用できるようになる。
【００２２】
請求項９に係る本発明として、前記後方部の裏面シート側の面に、前記吸収性物品本体及びショーツに対して粘着させる複数条の粘着剤層が備えられている請求項１〜８いずれかに記載の吸収性物品が提供される。
【００２３】
上記請求項９記載の発明では、前記後方部の裏面シート側の面に、前記吸収性物品本体及びショーツに対して粘着させる複数条の粘着剤層を備えることにより、前記後方部の左右各部を拡げた状態で固定できるようになる。
【００２４】
請求項１０に係る本発明として、前記粘着剤層を覆う剥離材が前記吸収性物品を個装する個装材に一体的に接合されている請求項９記載の吸収性物品が提供される。
【００２５】
上記請求項１０記載の発明では、前記粘着剤層を覆う剥離材を前記吸収性物品を個装する個装材に一体的に接合することにより、個装状態から前記剥離材をワンステップでスムーズに剥がすことができるようになる。
【発明の効果】
【００２６】
以上詳説のとおり本発明によれば、ヒップホールド用フラップの大きさが任意に調整できることにより、身体へのフィット性が向上し、体液の漏れが防止可能な吸収性物品が提供できる。
【発明を実施するための最良の形態】
【００２７】
以下、本発明の実施の形態について図面を参照しながら詳述する。図１は本発明に係る生理用ナプキン１の一部破断展開図、図２は図１のII−II線矢視図、図３は図１のIII−III線矢視図、図４は生理用ナプキン１の分解図である。
【００２８】
前記生理用ナプキン１は、表面シート１１と不透液性裏面シート１２との間に吸収体１３が介在されたナプキン本体１０の上層に、表面シート２１と裏面シート２２との間に吸収体２３が介在されたナプキン別体２０が接合されたものである。
【００２９】
〔ナプキン本体１０の構成〕
前記ナプキン本体１０は、ポリエチレンシート、ポリプロピレンシートなどからなる不透液性裏面シート１２と、経血やおりものなどを速やかに透過させる透液性表面シート１１と、これら両シート１１，１２間に介在された綿状パルプまたは合成パルプなどからなる吸収体１３と、表面両側部にそれぞれ長手方向に沿って形成されたサイド不織布１４，１４とから構成され、ナプキン本体１０の長手方向側縁部には、前記裏面シート１２とサイド不織布１４との貼り合わせ部分により、側方に突出し装着時に下着のクロッチ部分を巻き込むようにして固定されるウイング状フラップＷ、Ｗが形成されている。なお、前記吸収体１３は形状保持および拡散性向上のためにクレープ紙１５で囲繞することができる。
【００３０】
前記吸収体１３の周囲において、その上下端縁部では、前記不透液性裏面シート１２と透液性表面シート１１との外縁部がホットメルトなどの接着剤やヒートシール等の接着手段によって接合され、またその両側縁部では吸収体１３よりも側方に延出している前記不透液性裏面シート１２と前記サイド不織布１４とがホットメルトなどの接着剤やヒートシール等の接着手段によって接合されている。
【００３１】
以下、さらに前記ナプキン本体１０の構造について詳述すると、
前記不透液性裏面シート１２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３２】
次いで、前記透液性表面シート１１は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。
【００３３】
前記不透液性裏面シート１２と透液性表面シート１１との間に介在される吸収体１３は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体１３を囲繞するクレープ紙１５を設ける場合には、結果的に透液性表面シート１１と吸収体１３との間にクレープ紙１５が介在することになり、吸収性に優れる前記クレープ紙１５によって体液を速やかに拡散させるとともに、これら経血等の逆戻りを防止するようになる。
【００３４】
一方、本ナプキン本体１０の表面がわ両側部にはそれぞれ、長手方向に沿ってかつナプキン本体１０のほぼ全長に亘ってサイド不織布１４，１４が設けられ、このサイド不織布１４，１４の一部が側方に延在され、同じく側方に延在された不透液性裏面シート１２の一部とによりウイング状フラップＷ、Ｗが形成されている。
【００３５】
前記サイド不織布１４としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００３６】
図２〜図４に示されるように、前記透液性表面シート１１と不透液性裏面シート１２との間に吸収体１３が介在された本体部分の非肌当接面には、下着に対する固定のために適宜の塗布パターンによって複数条の、図示例では３条の本体ズレ止め粘着剤層１６，１６…が形成されている。また、前記ウイング状フラップＷ、Ｗの不透液性裏面シート１２側の面には、ウイングズレ止め粘着剤層１７、１７が形成されている。
【００３７】
前記ズレ止め粘着剤層１６，１７を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００３８】
〔ナプキン別体２０の構成〕
前記ナプキン別体２０は、各種の裏面シート２２と、経血やおりものなどを速やかに透過させる透液性表面シート２１と、これら両シート間に介在された綿状パルプまたは合成パルプなどからなる吸収体２３とから構成され、前記吸収体２３の周囲において、前記裏面シート２２と透液性表面シート２１との外縁部がホットメルトなどの接着剤やヒートシール等の接着手段によって接合されている。
【００３９】
なお、前記裏面シート２２、透液性表面シート２１及び吸収体２３の詳細は、上記ナプキン本体１０と同様であるので、以下ナプキン別体２０に特有の事項について詳述する。
【００４０】
前記ナプキン別体２０は、前記ナプキン本体１０の排血口対応領域に、ホットメルトなどの接着剤によって接合される前方部２４と、この前方部２４より後側に延在するとともに、前記生理用ナプキン１の幅方向中央の後側端から長手方向に沿って形成された分割線２６によって左側部２５Ａ及び右側部２５Ｂの左右各部に分割可能とされ、図５(B)に示されるように、この分割された左右各部が前記前方部２４との境界部を基端として、ナプキン本体１０の幅方向外側に拡開可能とされる後方部２５とから構成されている。なお、後方部２５は、使用前の個装状態ではナプキン本体１０とは接合されていない。また、前記分割線２６に沿った部分には、前記吸収体２３が介在されておらず、前記裏面シート２２と透液性表面シート２１とが接合されたフラップ部とされている。
【００４１】
この生理用ナプキン１を装着するには、図５(A)の使用前の個装状態から、同図(B)に示されるように、後方部２５の左右各部２５Ａ、２５Ｂを前記前方部２４との境界部を基端として、それぞれ両側に拡げ、左右各部２５Ａ、２５Ｂの外側部分がナプキン本体１０の幅方向外側に延出するようにする。この左右各部２５Ａ、２５Ｂの延出部分によってヒップホールド用フラップＷＢ、ＷＢが形成されるようになるとともに、着用者の体形などにあわせて、前記左右各部２５Ａ、２５Ｂを拡げる程度を調整することにより、ヒップホールド用フラップＷＢ、ＷＢの大きさを適宜調整できるようになる。さらに、左右各部２５Ａ、２５Ｂを両側に拡げる際に基端とした前方部２４と後方部２５との境界部には、前記分割線２６の基端部から前方部２４と後方部２５との境界部の両側縁にかけて、前方部２４と後方部２５とがシワ状に折り畳まれて表面に突出した突状線２７、２７が形成されるようになる。この突状線２７、２７は、前方部２４の経血等が後方に流れるのを堰き止める役割を有し、これにより後側への経血等の拡散が抑制でき、後漏れをより効果的に防止できるようになる。
【００４２】
前記前方部２４は、排血口に対応する位置、具体的には、図１に示されるように、前記ウイング状フラップ部Ｗ、Ｗに対応する部位の幅方向の中央位置に、ナプキン本体１０の透液性表面シート１１上に接合されている。ここで、前方部２４は、図１に示されるように、前後方向に長い略楕円形とすることが好ましい。このような略楕円形とすることにより、排血口に対応する領域で前記ナプキン本体１０との二重部分の面積が大きくなり、全体として吸収量を増加させることができるようになる。また、前記前方部２４は、脚周りへの違和感を低減させるため、図６に示されるように、両側部を凹ませた凹形状に形成してもよい。
【００４３】
前記分割線２６は、図１に示されるように、予め左右各部２５Ａ、２５Ｂが分割された切込み線とされる他、図７(A)に示されるように、使用前の個装状態では分割されておらず使用時に左右各部に分割するミシン目２６Ａや、また同図(B)に示されるように、後側に向けて漸次拡大したくさび状の切欠き２６Ｂとしてもよい。
【００４４】
前記後方部２５は、図１に示されるように、使用前の個装状態、すなわち分割された左右各部２５Ａ、２５Ｂを対向配置した状態で、前後方向に長い略楕円形からなり、その幅寸法は下層のナプキン本体１０の幅寸法と同等とすることが好ましい。これにより、後方部２５の左右各部２５Ａ、２５Ｂを両側に拡げた際、臀部にフィットするヒップホールド用フラップＷＢ、ＷＢを形成することができるようになる。また、後方部２５は、図８に示されるように、使用前の個装状態、すなわち分割された左右各部２５Ａ、２５Ｂを対向配置した状態で、前側は前記略楕円形状と同様の曲線が形成され、その頂部より後側にかけては幅寸法が略同幅に形成されるような平面形状としてもよい。これにより、図８(B)に示されるように、ヒップホールド用フラップＷＢ、ＷＢを形成した場合に、より広い範囲をカバーできるようになる。
【００４５】
さらに、図９に示されるように、前記後方部２５の左右各部２５Ａ、２５Ｂには、それぞれ外側に突出した摘み代２８を設けるようにしてもよい。図示例では、前記後方部２５の後方端に、後側に突出した摘み代２８が形成されている。これにより、同図(B)に示されるように、後方部２５の左右各部２５Ａ、２５Ｂを両側に拡げる際の作業性が容易となる。
【００４６】
一方、図１０に示されるように、前方部２４と後方部２５との境界部には、両側から生理用ナプキン１の幅方向内側に向かって、それぞれ切込み線２９、２９が設けられるようにしてもよい。この切込み線２９を設けることにより、同図(B)に示されるように、後方部２５の左右各部２５Ａ、２５Ｂを拡げたとき、前方部２４と後方部２５との境界部に前記突状線２７が形成されずに、後方部２５が前方部２４の上面に重なるため（同図中斜線部）、着用者に違和感を与えることなく経血等を堰き止める効果が得られるようになる。なお、切込み線２９、２９に沿った部分は、前記吸収体２３が介在せず、前記裏面シート２２と透液性表面シート２１とが接合されたフラップ部とされている。ここで、前記吸収体２３は、前方部２４と後方部２５とがその境界部で分断されるように形成してもよいが、この場合でも前記裏面シート２２及び透液性表面シート２１は、それぞれ前方部２４から後方部２５にかけて実質的に一体となるように形成されるようにする。
【００４７】
前記裏面シート２２は、透液性素材及び不透液性素材が組み合わされて、前方部２４から後方部２５にかけて実質的に一体となるように形成されている。具体的に、図１１に示される例では、前記裏面シート２２は、前方部２４の全面に透液性素材２２Ａが配設され、後方部２５の全面又は一部に不透液性素材２２Ｂが配設され、これら透液性素材２２Ａ及び不透液性素材２２Ｂの境界部に設けられた重なり代でホットメルトなどの接着剤やヒートシールなどの接合手段によって接合されて実質的に一体に構成されている。なお、前記不透液性素材２２Ｂを後方部２５の一部に配設した場合には、残りの部分には、前記前方部２４から延在した透液性素材２２Ａが配設されている。
【００４８】
また、図１２に示される例では、前記裏面シート２２は、前方部２４及び後方部２５の全面に透液性素材２２Ａが配設されるとともに、その下層であって、後方部２５の少なくとも一部に不透液性素材２２Ｂが配設され、この不透液性素材２２Ｂが前記透液性素材２２Ａと前記接着剤や接合手段によって接合されて実質的に一体に構成されている。
【００４９】
このように、後方部２５の全面又は一部に不透液性素材２２Ｂを配設することにより、後方部２５の左右各部２５Ａ、２５Ｂをナプキン本体１０より外側に延在させても、吸収体２３に吸収した経血等がショーツに染み出るのが防止できるようになっている。
【００５０】
前記不透液性素材２２Ｂを後方部２５の一部に配設する場合について、その配設形態を図１３に基づいて詳述する。この場合、前記後方部２５の不透液性素材２２Ｂは、前記後方部２５の左右各部２５Ａ、２５Ｂをナプキン本体１０より外側に延在させた状態で、少なくともナプキン本体１０より外側に延在予定の部分、好ましくはナプキン本体１０の吸収体１３より外側に延在予定の部分、より好ましくはナプキン本体１０のサイド不織布１４の内側端縁より外側に延在予定の部分（図１３(B)参照）に配設されるようにする。これにより、前記左右各部２５Ａ、２５Ｂを拡げた状態で使用した場合に、ナプキン本体１０の吸収体１３への経血等の吸収が阻害されることなく広い範囲で有効利用できるとともに、前記左右各部２５Ａ、２５Ｂを拡げない状態で使用した場合であっても、後方部２５の排血口部に近い位置で、吸収体１３への経血等の吸収が阻害されずに広い範囲で有効利用できるようになる。
【００５１】
一方、図１４に示されるように、前記後方部２５を拡げてヒップホールド用フラップＷＢ、ＷＢを形成した状態を維持するため、前記後方部２５の左右各部２５Ａ、２５Ｂにはそれぞれ、裏面シート２２側の面に、ナプキン本体１０及びショーツに対して粘着させる複数条の、図示例では各２条の粘着剤層３０Ａ、３０Ｂを設けることが好ましい。図示例では、それぞれ内側の粘着剤層３０Ａは、主にナプキン本体１０と左右各部２５Ａ、２５Ｂとを接着する役割を有するとともに、ナプキン本体１０と後方部２５との隙間から吸収した経血等が染み出て外部に漏れ出るのを防止し、さらにはナプキン本体１０と後方部２５との間に隙間ができて着用者に違和感を与えるのを防止する役割も有する。一方、それぞれ外側の粘着剤層３０Ｂは、前記ナプキン本体１０と後方部２５との接合に加えて、ショーツと後方部２５とを接合する役割を有する。これにより、ショーツとヒップホールド用フラップＷＢとがずれるのが防止できるとともに、ナプキン本体１０からショーツにかけて一体的に接合することができるため、より強固にずれを防止できる。
【００５２】
前記粘着剤層３０Ａ、３０Ｂは、左右各部２５Ａ、２５Ｂそれぞれに配設される剥離材によって覆われている。この剥離材は、粘着剤層３０Ａ、３０Ｂをそれぞれ個別に覆うものであっても、一体に覆うものであってもよい。前記剥離材としては、粘着剤層３０Ａ、３０Ｂに対する当接面に対し、例えばシリコーン系樹脂、フッ素樹脂、又は四フッ化エチレン系樹脂などの離型処理液を塗工するかスプレー塗布し離型処理した紙またはプラスチックシートを用いることができる。
【００５３】
また、開封時に個装袋を引き剥がす作業と同時にワンステップで粘着剤層３０Ａ、３０Ｂを覆う剥離材が引き剥がれるようにするため、図１５に示されるように、粘着剤層３０Ａ、３０Ｂを覆う剥離材３１が生理用ナプキン１を個装する個装材に一体的に接合されるようにしてもよい。具体的に、前記剥離材３１は、その後側端が個装袋４０の後側端に接合されるとともに、粘着剤層３０Ａ、３０Ｂの前側端で折返され、この折り返し部分が前記粘着剤層３０Ａ、３０Ｂを覆っている。ここで、前記剥離材３１は、前記折り返し部分で接合された２枚の剥離材からなるものであってもよい。
【図面の簡単な説明】
【００５４】
【図１】本発明に係る生理用ナプキン１の一部破断展開図である。
【図２】そのII−II線矢視図である。
【図３】図１のIII−III線矢視図である。
【図４】生理用ナプキン１の分解図である。
【図５】(A)は個装状態、(B)は使用状態を示す、生理用ナプキン１の展開図である。
【図６】生理用ナプキン１の変形例（その１）を示す展開図である。
【図７】ナプキン別体２０の変形例を示す展開図である。
【図８】(A)は個装状態、(B)は使用状態を示す、生理用ナプキン１の変形例（その２）を示す展開図である。
【図９】(A)は個装状態、(B)は使用状態を示す、生理用ナプキン１の変形例（その３）を示す展開図である。
【図１０】(A)は個装状態、(B)は使用状態を示す、生理用ナプキン１の変形例（その４）を示す展開図である。
【図１１】図１のXI−XI線矢視図である。
【図１２】他の形態例を示す図１のXI−XI線矢視図である。
【図１３】(A)は個装状態、(B)は使用状態を示す、生理用ナプキン１の変形例（その５）を示す展開図である。
【図１４】使用状態を示す、生理用ナプキン１の変形例（その６）を示す展開図である。
【図１５】個装状態を示す図１のXI−XI線矢視図である。
【符号の説明】
【００５５】
１…生理用ナプキン、１０…ナプキン本体、１１…表面シート、１２…不透液性裏面シート、１３…吸収体、１４…サイド不織布、１５…クレープ紙、２０…ナプキン別体、２１…表面シート、２２…裏面シート、２３…吸収体、２４…前方部、２５…後方部、２５Ａ…左側部、２５Ｂ…右側部、２６…分割線、２７…突状線
【図１】
0004456159.tif 000002
【図２】
0004456159.tif 000003
【図３】
0004456159.tif 000004
【図４】
0004456159.tif 000005
【図５】
0004456159.tif 000006
【図６】
0004456159.tif 000007
【図７】
0004456159.tif 000008
【図８】
0004456159.tif 000009
【図９】
0004456159.tif 000010
【図１０】
0004456159.tif 000011
【図１１】
0004456159.tif 000012
【図１２】
0004456159.tif 000013
【図１３】
0004456159.tif 000014
【図１４】
0004456159.tif 000015
【図１５】
0004456159.tif 000016